(57)【特許請求の範囲】
【請求項１】
書換可能なディスク状記録媒体に記録されている信号を再生するディスク装置であって、
ディスク状記録媒体に記録されている信号を読み出す信号読出手段と、
上記読み出された信号の位相及び周波数を発生されたクロック信号と比較して得られる比較誤差信号に基づいてクロック信号を発生するクロック信号発生手段と、
上記読み出された信号から同期信号を検出する同期信号検出手段と、
上記信号読出手段の信号読出位置がディスク状記録媒体の所定の単位で記録されるデータの始端部と終端部とのつなぎ部分を含む領域に達するタイミングを記録フォーマットに基づいて予測し、上記予測されたタイミングの直前に制御信号を発生する制御手段と、
上記制御信号に基づいて上記クロック信号発生手段に入力される上記比較誤差信号をホールドするクロック信号ホールド手段と
を備えることを特徴とするディスク装置。
【請求項２】
上記同期信号検出手段は、同期信号が検出されないときには同期信号を補間する機能を更に有し、上記制御信号に基づいて上記同期信号の補間を中止することを特徴とする請求項１記載のディスク装置。
【請求項３】
上記制御手段は、ホールドされたクロック信号をカウントすることにより同期信号が記録されている上記所定の単位で記録されるデータの始端部と終端部とのつなぎ部分を含む領域を通過したことを予測することを特徴とする請求項１記載のディスク装置。
【請求項４】
上記ディスク状記録媒体は、相変化型光ディスクであることを特徴とする請求項１記載のディスク装置。
【請求項５】
書換可能なディスク状記録媒体に記録されている信号を再生するディスク再生方法であって、
ディスク状記録媒体に記録されている信号を読み出すステップと、
上記読み出された信号の位相及び周波数を発生されたクロック信号と比較して得られる比較誤差信号に基づいてクロック信号を発生させるステップと、
上記読み出された信号から同期信号を検出するステップと、
上記信号読出手段の信号読出位置がディスク状記録媒体の所定の単位で記録されるデータの始端部と終端部とのつなぎ部分を含む領域に達するタイミングを記録フォーマットに基づいて予測し、上記予測されたタイミングの直前に制御信号を発生するステップと、
上記制御信号に基づいて上記クロック信号発生手段に入力される上記比較誤差信号をホールドするステップと
を有することを特徴とするディスク再生方法。
【発明の詳細な説明】
【０００１】
【発明の属する技術分野】
本発明は、ディスク状記録媒体に記録されているデータを再生するディスク装置及びディスク再生方法に関する。
【０００２】
【従来の技術】
コンピュータの周辺機器として用いられるディスク装置や、映像データを記録再生するためのディスク装置には、大容量のデータを高密度に記録することができ、しかもデータを繰り返して書き換えることができるディスク状記録媒体（リライタブルディスク）である相変化型光ディスクや光磁気ディスクが使用されている。相変化型光ディスクは、レーザ加熱により記録膜を結晶状態と非晶質状態の間で相転移させることによりデータが記録され、これらの状態により記録膜の光反射率が異なること利用して記録データが読み出されるものである。一方、光磁気ディスクは、レーザ加熱により記録膜の保磁力を一時的に低下させることによりデータが磁気記録され、記録膜の磁化状態に応じて反射光の偏光角が異なることを利用して記録データが読み出されるものである。
【０００３】
このようなディスク状記録媒体（以下では単にディスクという。）では、データを書き始める位置と書き終える位置とが記録フォーマットにより決められている。このため、ディスク上の特定の位置でレーザ加熱を伴うデータの書換が繰り返し行われることになり、その特定の位置には記録膜の損傷が発生しやすいという問題がある。この損傷は、レーザ加熱による高温のために記録膜が熱流動することに起因するものであり、特に相変化型光ディスクでの発生が問題とされるマテリアルフローと呼ばれる現象である。
【０００４】
【発明が解決しようとする課題】
上述のマテリアルフロー現象が発生する領域では、記録再生時にデータ誤り（エラー）が発生する可能性が高いため信頼性が低下する。さらに、記録膜の損傷が進んだ場合にはデータの記録再生ができなくなってしまう。特に、データを書き始める位置は、同期信号であるＳｙｎｃ（シンク）パターンが書き込まれる領域であることから、ＰＬＬ（Phase Locked Loop ）が乱されて同期が保てなくなったり、Ｓｙｎｃパターンが誤検出されて再同期に時間がかかる等の不具合が発生する。
【０００５】
本発明は、このような問題を解決するために行われたものであり、ディスク上の特定の位置にデータの信頼性が低い領域が発生した場合にも、同期を保つことができ、そのディスクに記録されているデータを正しく再生できるディスク装置及びディスク再生方法を提供することを目的とする。
【０００６】
【課題を解決するための手段】
上記の課題を解決するために提案する本発明のディスク装置は、書換可能なディスク状記録媒体に記録されている信号を再生するディスク装置であって、ディスク状記録媒体に記録されている信号を読み出す信号読出手段と、上記読み出された信号の位相及び周波数を発生されたクロック信号と比較して得られる比較誤差信号に基づいてクロック信号を発生するクロック信号発生手段と、上記読み出された信号から同期信号を検出する同期信号検出手段と、上記信号読出手段の信号読出位置がディスク状記録媒体の所定の単位で記録されるデータの始端部と終端部とのつなぎ部分を含む領域に達するタイミングを記録フォーマットに基づいて予測し、上記予測されたタイミングの直前に制御信号を発生する制御手段と、上記制御信号に基づいて上記クロック信号発生手段に入力される上記比較誤差信号をホールドするクロック信号ホールド手段とを備えることを特徴とするものである。
【０００７】
上記のディスク装置によれば、ディスク上の同期信号が記録されている特定の領域に記録膜の損傷等が発生して同期信号が正しく検出できない場合にも、同期を保つことができ、そのディスクに記録されているデータを正しく再生することができる。
【０００８】
【発明の実施の形態】
以下に、本発明のディスク装置の好ましい実施の形態について、図面を参照しながら説明する。なお、以下の実施の形態においては、ディスクが相変化型光ディスクであるとして、ディスクに記録されているデータを読み出すための再生系について説明する。
【０００９】
図１は、本発明に係るディスク装置の構成例を示すブロック図である。このディスク装置は、ディスク１００に記録されているデータを読み出して復調し、再生信号として出力するためのものであり、ディスク１００から読み出された再生ＲＦ信号に基づいてクロック信号を発生するための部分と、上記のクロック信号に基づいて上記の再生ＲＦ信号からデータを取り出して復調するための部分とから構成されている。
【００１０】
データが記録されているディスク１００は、スピンドルモータ１０により所定の回転数で回転駆動される。
【００１１】
ディスク１００に記録されているデータは、ピックアップやサーボ系などを含む信号読み出し手段である信号読出部１１で読み出され、２値化された再生ＲＦ信号にされてデータ検出部１６と位相／周波数比較部１２とに送られる。
【００１２】
位相／周波数比較部１２は、信号読出部１１からの再生ＲＦ信号の位相および周波数を、後述するＶＣＯ１５からのクロック信号（チャネルクロックＰＬＣＫ）と比較するためのものである。比較結果である比較誤差信号は、ローパスフィルタ（ＬＰＦ）１３およびサンプル／ホールド部１４を介してＶＣＯ１５に制御電圧として入力される。
【００１３】
ＬＰＦ（ローパスフィルタ）１３は、位相／周波数比較部１１からサンプル／ホールド部１４に送られる比較誤差信号の低域成分のみを通過させるものである。具体的には、このＬＰＦ１３はループフィルタである。
【００１４】
サンプル／ホールド部１４は、ＬＰＦ１３を介してＶＣＯ１５に入力される位相／周波数比較部１２からの比較誤差信号を、制御部２０からの制御信号に基づいて保持（ホールド）するためのものである。サンプル・ホールド部１４の出力は、ＶＣＯ１５に制御電圧として供給される。なお、このサンプル・ホールド部１４の具体的な構成については後述する。
【００１５】
ＶＣＯ１５は、ディスク１００から読み出された再生ＲＦ信号にビット同期を行ってクロック信号を発生するためのクロック信号発生手段である。具体的には、サンプル／ホールド部１４を介して制御電圧として入力される比較誤差信号の電圧に応じた発振周波数でチャネルクロックＰＬＣＫを発生する電圧制御発振器（Voltage Controlled Oscillator ；ＶＣＯ）である。
【００１６】
ＶＣＯ１５の出力であるチャネルクロックＰＬＣＫは、位相／周波数比較部１２に戻されて、ＰＬＬ回路を構成する帰還ループが形成される。すなわち、位相／周波数比較部１２、ＬＰＦ１３、サンプル／ホールド部１４、ＶＣＯ１５から構成される部分が、ディスク１００から読み出された再生ＲＦ信号に基づいてチャネルクロックＰＬＣＫを発生するための部分である。また、チャネルクロックＰＬＣＫは、後述するデータ検出部１６にも供給される。
【００１７】
データ検出部１６は、ディスク１００から読み出された再生ＲＦ信号からデータを取り出すためのものであり、後述するチャネルクロックＰＬＣＫで上記の再生ＲＦ信号を打ち抜くことによりデータを取り出す。
【００１８】
Ｓｙｎｃパターン検出・補間部１７は、データ検出部１６で再生ＲＦ信号から取り出されたデータの先頭に配置されている同期信号であるＳｙｎｃ（シンク）パターンを検出する機能と、上記Ｓｙｎｃパターンが検出されないときには検出されるべきタイミングでＳｙｎｃパターンの補間を行う機能とを有する同期信号検出補間手段である。なお上記のＳｙｎｃパターンの検出動作と補間動作は、後述する制御部２０からの制御信号により中止される。
【００１９】
復調部１８は、データ検出部１６で検出されたデータを復調するためのものである。ここで用いられる復調方法は、例えば８ビット系列のデータを１６ビット系列のデータに変換する変調方法である８−１６変調に対応するものである。
【００２０】
上記の８−１６変調は、原データの１バイト（＝８ビット）を、所定の１６チャンネルビットに変換する変調方法である。ただし、１チャンネルビットの幅は、もとの１ビットの半分の幅とされる。この８−１６変調を行う主な目的は、原データ列の高域成分を低減することである。そこで、８−１６変調ではチャンネルビット「１」あるいは「０」の連続数が３以上１１以下となるようにして、原データビット列の最小パルス幅（２チャンネルビット幅）よりも幅の広い最小パルス幅（３チャンネルビット幅）をもつチャンネルビット列に変換する。
【００２１】
エラー訂正部１９は、復調されたデータに対してエラー訂正符号を用いてエラー訂正を行うためのものである。そして、エラー訂正されたデータは、出力端子２１から再生信号として出力される。なお、ここで用いられるエラー訂正符号（Error Correction Code ；ＥＣＣ）については後述する。
【００２２】
上記のデータ検出部１６、Ｓｙｎｃパターン検出・補間部１７、復調部１８、エラー訂正部１９から構成される部分が、ディスク１００から読み出された再生ＲＦ信号からチャネルクロックＰＬＣＫに基づいてデータを取り出して復調出力するための部分である。
【００２３】
制御部２０は、サンプル／ホールド部１４に対してＶＣＯ１５に入力される制御電圧をホールドさせる制御信号や、Ｓｙｎｃパターン検出・補間部１７に対してＳｙｎｃパターンの補間動作を中止させる制御信号を発生するための制御手段である。上記の制御信号を発生するタイミングは、フォーマットに基づいて予め記憶設定されているディスク１００上のデータ配置を参照しながら、Ｓｙｎｃパターン検出・補間部１７からの同期信号であるＳｙｎｃパターンをカウントすることにより求められる。また、上記制御信号によりＳｙｎｃパターンの検出を中止したときには、ＶＣＯ１５からのホールドされたクロック信号であるチャネルクロックＰＬＣＫをカウントすることにより、Ｓｙｎｃパターンの検出を再開するタイミングおよびサンプル／ホールド部１４のホールド状態を解除するタイミングを求める。
【００２４】
次に、図１に示した構成を有する本発明のディスク装置が、特定の位置に低信頼性領域があるディスク１００に記録されているデータを読み出して再生する動作について、図１および図２を参照しながら説明する。
【００２５】
図２は、ディスク１００の低信頼性領域におけるデータフレームの様子を例示している。この低信頼性領域は、所定の記録単位であるフレーム単位で記録されるデータの始端部と終端部とのつなぎ目を含む領域であり、前述したマテリアルフロー現象が発生している領域である。この低信頼性領域では、データの記録再生時にエラーが発生する可能性が高くなっており、同期信号であるＳｙｎｃパターンが誤検出されることがある。
【００２６】
領域３１は既にデータが記録されていた領域であり、領域３２は新たにデータが記録された領域である。また、領域３３は、領域３１に既に記録されていたデータと、領域３２に新たに記録されたデータとが接続される領域であり、いわゆる書きつなぎ部（リンギングエリア）と呼ばれる領域である。ここでは、リンギングエリア３３が５フレームからなり、そのうちの２フレーム分の領域３３ａの記録膜にマテリアルフローによる損傷が発生しているとする。
【００２７】
領域３１，３２に記録されているデータの各フレームの先頭には、データシンボルの区切りを見つけるための同期信号であるＳｙｎｃパターン（フレームシンク）が設けられている。領域３１に記録されているデータの各フレームのＳｙｎｃパターンは、・・・ＳＹ２５，ＳＹ２６，ＳＹ２７である。また、領域３２に新たに記録されたデータの各フレームのＳｙｎｃパターンは、ＳＹＡ，ＳＹＢ，ＳＹＣ，ＳＹ０，・・・であり、ＳｙｎｃパターンＳＹ０が先頭に設けられたデータフレームから始まる領域３４のデータがコンピュータ等に転送されて使用されるデータである。
【００２８】
上記のＳｙｎｃパターンは、通常はデータ中に現れないユニークパターンであり、例えば、コンパクトディスク（ＣＤ）に用いられる最長１１ビット長パターンである「１１Ｔ１１Ｔパターン」や、デジタルビデオディスク（ＤＶＤ）に用いられる最長１４ビット長パターンである「１４Ｔ１４Ｔパターン」などである。
【００２９】
ディスク装置のＳｙｎｃパターン検出・補間部１７は、このＳｙｎｃパターンを検出すると、次に検出されることが期待される位置（時間）に検出ウインドウ（検出窓）を開き、その検出ウインドウ内だけでＳｙｎｃパターン検出を行うようにするのが通常である。また、このＳｙｎｃパターン検出・補間部１７は、検出ウインドウ内でＳｙｎｃパターンを検出できないときには、Ｓｙｎｃパターンを補間する機能を備えているので、何らかの原因によりＳｙｎｃパターンを一時的に検出できなくなっても同期を保つことができる。
【００３０】
しかし、ディスク１００上に前述したような記録膜の低信頼性領域がある場合には、Ｓｙｎｃパターン検出・補間部１７がＳｙｎｃパターンを誤検出することがある。この誤検出が発生すると、Ｓｙｎｃパターン検出・補間部１７が検出ウインドウを開いてＰＬＬ引き込みを開始するタイミングが遅れるため、正しいＳｙｎｃパターンを検出するタイミングも遅れてしまう。その結果、信号読出部１１が読み出しているディスク１００上の読出位置が読み出されるべきデータの先頭に達するまでに、必要なデータのデコードを開始できなくなってしまうことがある。
【００３１】
このような不具合を避けるため、本発明のディスク装置では、制御部２０が、ディスク１００上の読出位置が上記の低信頼性領域に達するタイミングを予測して、Ｓｙｎｃパターン検出・補間部１７の動作を中止する制御を行っている。上記の予測は、ディスク１００の記録フォーマットに基づいて行われる。これは、相変化型光ディスクであるディスク１００上でデータを書き始められる位置とデータを書き終える位置とが、記録フォーマットにより決められていることによる。また、この記録フォーマットは、いわゆるマテリアルフローと呼ばれる上記の低信頼性領域の長さを考慮して決められている。このため、制御部２０は、チャネルクロックＰＬＣＫをカウントすることにより、ディスク１００上の読出位置が低信頼性領域を通過し終わったことを判断して検出ウインドウを開く。そして、初期状態に戻ったものとしてＰＬＬ再同期を開始する。
【００３２】
図３は、上述した動作が、データの書きつなぎが行われるリンギングエリア３３において行われる場合の手順を示すフローチャートである。
【００３３】
ディスク装置が再生動作を開始すると、スピンドルモータ１０がディスク１００の回転駆動を開始し、信号読出部１１のピックアップのフォーカス制御等が行われる。
【００３４】
そして、ステップＳＴ１では、信号読出部１１のピックアップがディスク１００に記録されている信号の読出を開始し、再生信号が出力される。
【００３５】
次に、ステップＳＴ２では、ディスク１００上での読出位置が、マテリアルフロー領域３３ａを含むリンギングエリア３３に入るタイミングが求められる。このタイミングは、記録フォーマットから求められるリンギングエリア３３の長さやマテリアルフロー領域３３ａの長さを考慮して決定されているディスク１００の記録フォーマットに基づいて予測されるものである。
【００３６】
ステップＳＴ３では、ディスク１００上の読出位置が、ステップＳＴ２で求められたリンギングエリア３３に達するタイミングの手前で、サンプル／ホールド部１４を介してＶＣＯ１５に制御電圧として入力される比較誤差信号の電圧が制御部２０からの制御信号によりホールドされ、ＶＣＯ１５から出力されるチャネルクロックＰＬＣＫの周波数がほぼ一定に保たれる。同時に、Ｓｙｎｃパターン検出・補間部１７におけるＳｙｎｃパターン（フレームシンク）の検出、および検出されなかったシンクパターンの補間も上記の制御信号により中止される。
【００３７】
ステップＳＴ４では、ステップＳＴ３でホールドされたチャネルクロックＰＬＣＫをカウントすることにより、ディスク１００上の読出位置がマテリアルフロー領域３３ａを通過するタイミングを推測する。このタイミングは、予め考慮されているマテリアルフロー領域３３ａの長さに基づいて推測される。
【００３８】
そして、ステップＳＴ５では、ディスク１００上の読出位置がマテリアルフロー領域３３ａを通過し終えたと推測されるタイミングで、サンプル／ホールド部１４のホールドを解除して、ＶＣＯ１５に入力される制御電圧を位相／周波数比較部１２からの比較誤差信号に戻す。
【００３９】
これにより、再生ＲＦ信号に対してＰＬＬ引き込みを行って、フレームシンクの検出、および検出されなかったフレームシンクの補間を初期状態から開始する。
【００４０】
以上のステップＳＴ１からステップＳＴ５までの手順を必要に応じて繰り返すことにより、ディスク１００上のＳｙｎｃパターンが記録されている特定位置の領域に損傷がある場合でも、同期を保ってデータを再生することができる。
【００４１】
図４は、前述したサンプル／ホールド部１４の一構成例を示している。
【００４２】
図１に示したように、位相／周波数比較部１２からの比較誤差信号は、ＬＰＦ１３を介してサンプル／ホールド１４に制御電圧として入力される。
【００４３】
Ｓｙｎｃパターン検出・補間部１７が再生ＲＦ信号からＳｙｎｃパターンを正しく検出しているときには、制御部２０からの制御信号によりスイッチＳＷ1 がオンにされる。位相／周波数比較部１２からＬＰＦ１３を介して出力される比較誤差信号の電圧Ｖ1 は、必要に応じて増幅器１４ａで増幅されて電圧Ｖ2 とされてＶＣＯ１５に制御電圧として入力される。そして、ＶＣＯ１５は、入力電圧Ｖ2 に応じた周波数でチャネルクロックＰＬＣＫを発振する。また、このときコンデンサＣ1 はＬＰＦ１３からの信号電圧Ｖ1 まで充電される。
【００４４】
一方、Ｓｙｎｃパターン検出・補間部１７が、検出ウインドウ中に再生ＲＦ信号からＳｙｎｃパターンを正しく検出できないときには、制御部２０からの制御信号によりスイッチＳＷ1 がオフにされる。このとき、ＶＣＯ１５の入力電圧は、電圧Ｖ1 に充電されたコンデンサＣ1 によりＶ1 に保たれる。なお、増幅器１４ａの入力インピーダンスは十分に高い。また、ＬＰＦ１３とスイッチＳＷ1 の間に必要に応じて増幅器１４ａと同様の増幅器を設けてもよい。
【００４５】
図５は、サンプル／ホールド部１４の別の構成例を示している。この構成例は、図４の構成例よりも複雑であるが、図４の構成を用いるとコンデンサＣ1 と配線抵抗とによる時定数のために動作速度の遅れが問題になる場合に有効である。
【００４６】
再生ＲＦ信号からＳｙｎｃパターンが検出されているときには、制御部２０からの制御信号により、スイッチＳＷ2 がオンにされると共にセレクタ１４ｄがＬＰＦ１３からの信号電圧Ｖ1 が直接にＶＣＯ１５に入力されるように選択される。そして、ＶＣＯ１５は、ＬＰＦ１３を介して出力される位相／周波数比較部１２からの比較誤差信号の電圧Ｖ1 に応じた周波数でチャネルクロックＰＬＣＫを発振する。このときコンデンサＣ2 は、電圧Ｖ1 を増幅器１４ｂで必要に応じて増幅した電圧Ｖ2 まで充電される。
【００４７】
一方、再生ＲＦ信号からＳｙｎｃパターンが検出されないときには、制御部２０からの制御信号により、スイッチＳＷ2 がオフにされると共にセレクタ１４ｄが増幅器１４ｃからの電圧Ｖ3 がＶＣＯ１５に入力されるように選択される。このとき、コンデンサＣ1 は増幅器１４ｂの出力電圧Ｖ2 まで充電される。また、増幅器１４ｂの出力電圧Ｖ2 は増幅器１４ｃでさらに増幅されて電圧Ｖ3 とされる。なお、増幅器１４ｃの入力インピーダンスは十分に高い。
【００４８】
図４および図５に示す構成を有するサンプル／ホールド部１４によれば、再生ＲＦ信号からＳｙｎｃパターンが正しく検出されない場合にもＶＣＯ１５の入力電圧をほぼ一定に保つことができる。これにより、水晶発振子を用いた複雑なクロック発生手段を設けることなく、Ｓｙｎｃパターンが正しく検出されない場合にもチャネルクロックＰＬＣＫの周波数をほぼ一定に保つことができるクロック信号発生手段を構成することができる。
【００４９】
次に、以上説明したような構成および手順を有するディスク装置によってディスク１００から読み出されるデータセクタの構造、ＥＣＣブロックおよび記録セクタの構造、シンクフレームの構造について順次説明する。以下では、ディスク１００が、直径１２０ｃｍで１面あたりの記録容量が２．６ＧＢｙｔｅの書換可能な相変化型光ディスクである場合を例として説明する。
【００５０】
図６は、ディスク１００に記録されるデータのセクタ構造を示している。このデータセクタは、２０４８バイト（Ｂｙｔｅ）の主データと、セクタ番号等を示すデータからなる基本セクタであり、１７２Ｂｙｔｅ×１２行の配列構造を有している。
【００５１】
第１行目のデータ３０１の先頭の４バイトのＩＤ部３０１ａには、セクタ番号の他に、このセクタが属する層や領域などを示す情報が含まれる。
【００５２】
ＩＤ部３０１ａに続く２バイトのＩＥＤ部３０１ｂは、ＩＤ部３０１ａの誤り検出用パリティである。
【００５３】
ＩＥＤ部３０１ｂに続く６バイトのＲＳＶ部３０１ｃは、システム予約データである。
【００５４】
データセクタの末尾である第１２行目３１２に付加される４バイトのＥＤＣ部３１２ｂは、エラー訂正が行われた後のデータセクタの誤り検査に用いられる、このデータセクタ全体の誤り検出用パリティである。
【００５５】
図７は、図６に示した２０４８Ｂｙｔｅのデータセクタの主データにスクランブルを施してエラー訂正符号化した記録セクタを構成するためのＥＣＣ（エラー訂正符号）ブロックの構成を示している。このエラー訂正符号化は、スクランブルが施されデータセクタを、１６セクタ単位でブロック化することにより行われる。すなわち、各々１７２バイト×１９２行の配列構造を有する連続した１６セクタのデータセクタに対して、１６行のＰＯパリティと、１０列のＰＩパリティとを生成付加して、１８２バイト×２０８列のリードソロモン（ＲＳ）積符号を構成する。この積符号は、１８２列の各列がＲＳ（２０８，１９２，１７）符号、２０８行の各行がＲＳ（１８２，１７２，１１）符号である。
【００５６】
そして、図７に示したＥＣＣブロックを行方向に変調して記録する前に、ＥＣＣブロックの行の入れ替えが行われる。
【００５７】
図８は、上記の行の入れ替えが行われた記録セクタの様子を示している。すなわち、１６行のＰＯパリティを１行ずつ各セクタの最終行に移動し、各セクタを１８２バイト×１３行からなる記録セクタに構成する。
【００５８】
次に、図８に示した記録セクタをフレーム構造にして変調を施した物理セクタについて説明する。
【００５９】
図９は、前述のフレーム構造を有する物理セクタの構造を示している。この物理セクタは２６シンクフレームから構成され、各シンクフレームは３２チャネルビット長のＳｙｎｃコードＳＹ０〜ＳＹ７と１４５６チャネルビット長のデータ部から構成される。具体的には、前述した１８２バイト×１３行からなる１つの記録セクタには９２バイト毎に先頭にＳｙｎｃコードが付されて２６シンクフレームが構成され、前述した８−１６変調が施された後に物理セクタとしてディスク１００に記録される。
【００６０】
上記のＳｙｎｃコードの第１の機能は、データ復調時に１６チャンネルビットの区切りを示すことである。このため、Ｓｙｎｃコードを確実に検出できるように、例えば、データ変調部分に出現する最大パルス幅１１チャンネルビットよりも十分長い１４チャンネルビット幅のパルスが埋め込まれる。
【００６１】
Ｓｙｎｃコードの第２の機能は、バーストエラーが発生した後にＳｙｎｃコードが検出された場合などに復調データをＥＣＣの配列の正しい位置に格納できるように、セクタ内のフレーム位置を示すことである。そのためのＳｙｎｃコードＳＹ０〜ＳＹ７は、先頭の１０チャンネルビットで識別できるようにされている。さらに、Ｓｙｎｃコードには、前シンクフレームの末尾との接続部分で８−１６変調規則（チャンネルビット「１」あるいは「０」の連続数が３以上１１以下になること。）を満足することや、データ部分の８−１６変調チャネルビット列の直流成分を制御できる機能も必要である。このため、８つのＳｙｎｃパターンＳＹ０〜ＳＹ７は４つの機能を有し、実際には８×４＝３２パターンが存在する。
【００６２】
【発明の効果】
本発明のディスク装置によれば、ディスク上の同期信号が記録される特定の位置にデータの信頼性が低い領域が生じても、同期を保つことができ、そのディスクに記録されているデータを正しく再生できる。
【図面の簡単な説明】
【図１】本発明に係るディスク装置の構成例を示すブロック図である。
【図２】ディスクの記録膜に損傷が発生した領域におけるデータフレームの様子を説明するための図である。
【図３】データの書きつなぎが行われるリンギングエリアを含む領域における、ＰＬＬの制御手順を示すための図である。
【図４】サンプル／ホールド部の一構成例を示す図である。
【図５】サンプル／ホールド部の別の構成例を示す図である。
【図６】データセクタの構造を示す図である。
【図７】ＥＣＣブロックの構造を示す図である。
【図８】記録セクタの構造を示す図である。
【図９】物理セクタの構造を示す図である。
【符号の説明】
１０  スピンドルモータ、  １１  信号読出部、  １２  位相／周波数比較部、  １３  ＬＰＦ、  １４  サンプル／ホールド部、  １５  ＶＣＯ、  １６  データ検出部、  １７  Ｓｙｎｃパターン検出・補間部、  １８  復調部、  エラー訂正部、  ２０  制御部、  ２１  出力端子、  １００  ディスク
【図１】
0003956417.tif 000002
【図２】
0003956417.tif 000003
【図３】
0003956417.tif 000004
【図４】
0003956417.tif 000005
【図５】
0003956417.tif 000006
【図６】
0003956417.tif 000007
【図７】
0003956417.tif 000008
【図８】
0003956417.tif 000009
【図９】
0003956417.tif 000010